(57)【特許請求の範囲】
【請求項１】
防水対象床に立設された柱の柱脚に防水措置を施す柱脚防水工法であって、
前記防水対象床から立ち上げた防水層立上部にて前記柱脚の外周囲を被覆して前記防水層立上部を前記柱脚に接着する第１ステップと、
前記柱脚を被覆した前記防水層立上部の外周囲にプレキャストコンクリート製の保護部材を配置する第２ステップと、
前記防水層立上部の外周囲に配置した前記保護部材を固定する第３ステップを備える柱脚防水工法。
【請求項２】
前記第１ステップにおいて、前記防水対象床の上面における前記柱脚の外周囲に面取り用の充填部材を配置し、前記防水対象床に接着される防水層及び前記柱脚に接着される前記防水層立上部を、前記充填部材に対して接着せずに無接着状態とし、
前記第２ステップにおいて、前記保護部材を前記充填部材の外周囲に配置する請求項１記載の柱脚防水工法。
【請求項３】
前記第３ステップにおいて、前記防水対象床に施された防水層の上に、前記保護部材の下端側を埋め込み固定する状態でコンクリートを打設して保護層を形成する請求項１または２に記載の柱脚防水工法。
【請求項４】
前記柱脚の断面形状が矩形状であるのに対し、前記保護部材として、平面視コの字状または平面視Ｌの字状に構成された複数の分割保護部材を使用し、
前記第２ステップにおいて、前記柱脚を被覆した前記防水層立上部の外周囲を囲い込む状態で複数の前記分割保護部材を配置する請求項１〜３のいずれか１項に記載の柱脚防水工法。
【発明の詳細な説明】
【技術分野】
【０００１】
本発明は、防水対象床に立設された柱の柱脚に防水措置を施す柱脚防水工法に関する。
【背景技術】
【０００２】
例えば、雨水に曝される駐車場の床には防水措置を施す必要がある。従来、駐車場の防水対象床の防水措置としては、コンクリート製の床スラブ等からなる防水対象床の上に防水層を設け、この防水層の上に押えコンクリート層等からなる保護層を設けた構造のものが知られている（例えば、特許文献１参照）。
このような防水対象床に立設された柱の柱脚に関しては、従来、柱脚の外周囲を現場打ちのコンクリートで被覆し、そのコンクリート被覆層の外周囲を防水層となる防水シートで覆った後、防水シートの外周囲を保護パネルで覆う柱脚防水工法が一般的である。
【先行技術文献】
【特許文献】
【０００３】
【特許文献１】特開平５−１２５８０１号公報
【発明の概要】
【発明が解決しようとする課題】
【０００４】
しかしながら、上述した従来の柱脚防水工法では、柱脚の外周囲にコンクリートを現場打ちするため、そのコンクリートの外周囲を防水シートで被覆するに当たり、コンクリートが硬化するまでの養生期間を待って被覆しなければならず、そのため、施工性に難点があり、かつ、工期の面でも問題がある。
更に、防水シートの外周囲を保護パネルで覆う必要があるため、施工性が悪く、かつ、最終的には、内側のコンクリート被覆層と外側の保護パネルとの間に防水層としての防水シートを挟み込んだ構造となる。そのため、平面視において、柱脚の防水部分の占有面積が比較的大きくなって、防水対象床の使用可能域が制限されるという問題もある。
【０００５】
本発明は、このような従来の問題点に着目したもので、その目的は、施工性が良く、かつ、工期の短縮化と占有面積の縮小化を図ることの可能な柱脚防水工法を提供することにある。
【課題を解決するための手段】
【０００６】
本発明の第１特徴構成は、防水対象床に立設された柱の柱脚に防水措置を施す柱脚防水工法であって、
前記防水対象床から立ち上げた防水層立上部にて前記柱脚の外周囲を被覆して前記防水層立上部を前記柱脚に接着する第１ステップと、
前記柱脚を被覆した前記防水層立上部の外周囲にプレキャストコンクリート製の保護部材を配置する第２ステップと、
前記防水層立上部の外周囲に配置した前記保護部材を固定する第３ステップを備える点にある。
【０００７】
本構成によれば、第１ステップにおいて、防水対象床から立ち上げた防水層立上部にて柱脚の外周囲を被覆するので、上述した従来工法のように、コンクリートの養生期間を待つ必要はなく、直ちに防水層立上部によって柱脚の外周囲を被覆することができる。
そして、第２ステップにおいて、その防水層立上部の外周囲にプレキャストコンクリート製の保護部材を配置し、第３ステップにおいて、その保護部材を固定するだけで済むので、施工性が大幅に向上し、工期も大幅に短縮することができる。
更に、柱脚の防水部分は、柱脚を被覆する防水層立上部とその外側に配置の保護部材だけとなり、平面視において、柱脚防水部分の占有面積が比較的小さくなって、防水対象床の使用可能域が拡大される。
【０００８】
本発明の第２特徴構成は、前記第１ステップにおいて、前記防水対象床の上面における前記柱脚の外周囲に面取り用の充填部材を配置し、前記防水対象床に接着される防水層及び前記柱脚に接着される前記防水層立上部を、前記充填部材に対して接着せずに無接着状態とし、
前記第２ステップにおいて、前記保護部材を前記充填部材の外周囲に配置する点にある。
また、前記第２ステップにおいて、前記保護部材を自立状態で配置すると好適である。
【０００９】
本構成によれば、保護部材を防水層立上部の外周囲に自立状態で配置するので、第２ステップにおいて、保護部材を自立させるための大掛かりなサポート部材やサポート工程が不要となり、更なる施工性の向上と工期の短縮を図ることができる。
【００１０】
本発明の第３特徴構成は、前記第３ステップにおいて、前記防水対象床に施された防水層の上に、前記保護部材の下端側を埋め込み固定する状態でコンクリートを打設して保護層を形成する点にある。
【００１１】
本構成によれば、第３ステップにおいて、防水対象床に施された防水層の上に保護層を形成するに際し、その保護層により保護部材の下端側を埋め込み固定する状態で形成するので、保護層形成時に保護部材の固定も一挙に行うことができ、更なる施工性の向上を図ることができる。
【００１２】
本発明の第４特徴構成は、前記柱脚の断面形状が矩形状であるのに対し、前記保護部材として、平面視コの字状または平面視Ｌの字状に構成された複数の分割保護部材を使用し、
前記第２ステップにおいて、前記柱脚を被覆した前記防水層立上部の外周囲を囲い込む状態で複数の前記分割保護部材を配置する点にある。
【００１３】
本構成によれば、保護部材として、平面視コの字状または平面視Ｌの字状に構成された複数の分割保護部材を使用する、つまり、自立させ易く、かつ、断面形状が矩形状の柱脚に対して姿勢や位置決めが容易な形状の分割保護部材を使用する。よって、第２ステップにおいて、防水層立上部の外周囲を囲い込む状態で複数の分割保護部材を配置するに当たり、各分割保護部材を簡単かつ確実に所望の位置に配置することができ、より一層の施工性の向上を図ることができる。
【図面の簡単な説明】
【００１４】
【図１】柱脚防水工法の施工工程を示す縦断正面図
【図２】柱脚防水工法の施工工程を示す縦断正面図
【図３】柱脚防水工法の施工工程を示す縦断正面図
【図４】柱脚防水工法に使用する分割保護部材の斜視図
【発明を実施するための形態】
【００１５】
本発明による柱脚防水工法の実施形態を図面に基づいて説明する。
本発明の柱脚防水工法は、例えば、雨水に曝される駐車場などの床に立設された柱の柱脚を対象とし、図１〜図３に示すように、コンクリート製の床スラブからなる防水対象床１に立設された鉄骨製の柱２の柱脚３に対して防水措置を施すための工法である。
【００１６】
本発明の工法では、図１に示すように、防水対象床１の上面における柱脚３の周囲に断面形状が直角三角形の面取り用の充填部材４を配置し、必要に応じて充填部材４を防水対象床１の上面や柱脚３の外周面に接着する。
その後、防水対象床１の上面に防水層としての防水シート５を敷設して防水対象床１の上面に接着する。柱脚３の外周囲部分においては、防水シート５を柱脚３の外周囲に沿って立ち上げ、その立ち上げた防水層立上部としての防水シート立上部６により柱脚３の外周囲を被覆して接着剤により柱脚３に接着する。ただし、防水シート５や防水シート立上部６は、充填部材４に対して接着せずに、無接着状態とする。すなわち、防水シート５や防水シート立上部６を充填部材４に対して無接着状態にすることで、防水対象床１と柱２または柱脚３との相対的な挙動のズレを積極的に許容、吸収して、防水シート５や防水シート立上部６の損傷を防止するのである。
このようにして、柱脚防水工法の第１ステップでは、図１に示すように、防水対象床１から立ち上げた防水シート立上部６にて柱脚３の外周囲を被覆する。
【００１７】
第１ステップ終了後の第２ステップでは、図２に示すように、柱脚３を被覆した防水シート立上部６の外周囲にプレキャストコンクリート製の保護部材７を配置する。この保護部材７は、図４を参照して、断面形状が矩形状の柱脚３に対して、例えば、図４（ａ）に示すように、平面視でコの字状の２つの分割保護部材７ａ、または、図４（ｂ）に示すように、平面視でＬの字状の２つの分割保護部材７ｂで構成され、これら分割保護部材７ａ、７ｂは、図示のように自立可能である。
すなわち、柱脚防水工法の第２ステップでは、図２に示すように、柱脚３を被覆した防水シート立上部６の外周囲に、その防水シート立上部６の外周囲を囲い込むように複数の分割保護部材７ａまたは７ｂからなるプレキャストコンクリート製の保護部材７を自立状態で配置し、必要に応じてバンド８などで締め付けて固定する。
【００１８】
第２ステップ終了後の第３ステップでは、図３に示すように、防水対象床１の上面に敷設した防水シート５の上に、保護部材７の下端側を埋め込む状態でアスファルトコンクリートまたはシンダーコンクリートを打設して保護層９を形成し、保護層９により防水シート立上部６の外周囲に配置した保護部材７を固定する。
その後、必要な場合には、柱脚３と保護部材７との間にモルタルなどの充填材を挿入し、更に、保護部材７の上方に化粧板１０を配置して柱２の外周囲を覆う。なお、柱２と化粧板１０との間には、必要に応じて断熱材や耐火材などの充填材を挿入する。
【００１９】
なお、本実施形態では、プレキャストコンクリート製の保護部材７は、鉄筋を不存とした安価で製作容易な無筋コンクリート造にて構成されている。更に、このプレキャストコンクリート製の保護部材７は、躯体コンクリート工事等で頻繁に発生する生コンクリートの余剰分を利用し、余剰分が発生する都度、建築現場内の製作スペースにて製作されている。このようにすることで、プレキャストコンクリート製の保護部材７を非常に安価で製作することが可能となり、本柱脚防水工法で構築する柱脚防水構造の大幅な低コスト化を図ることができる。
【００２０】
〔別実施形態〕
（１）先の実施形態では、防水対象床１の一例として駐車場の床を示したが、駐車場の床以外にも、防水を必要とする各種の床に適用することができ、また、防水層の一例として防水シート５を示したが、防水シート５以外にも、例えば、防水材を塗布または吹き付けて防水層とすることもできる。
【００２１】
（２）先の実施形態では、自立可能な平面視コの字状または平面視Ｌの字状の２つの分割保護部材７ａ、７ｂにより保護部材７を構成した例を示したが、自立不可能な分割保護部材により保護部材７を構成することもでき、また、３つ以上の分割保護部材により保護部材７を構成することもできる。
【００２２】
（３）先の実施形態では、断面形状が矩形状の柱脚３の外周囲に断面形状が矩形状の保護部材７を配置した例を示したが、矩形状の柱脚３の外周囲に円形状の保護部材７を配置することも可能であり、また、円形状の柱脚３の外周囲に円形状または矩形状の保護部材７を配置することも可能である。
【符号の説明】
【００２３】
１        防水対象床
２        柱
３        柱脚
５        防水層
６        防水層立上部
７        保護部材
７ａ      平面視コの字状の分割保護部材
７ｂ      平面視Ｌの字状の分割保護部材
９        保護層
【図１】
0006788360.tif 000002
【図２】
0006788360.tif 000003
【図３】
0006788360.tif 000004
【図４】
0006788360.tif 000005